(57)【要約】【課題】衣類等のポケットから取出し時にアンテナがそれらに引っ掛かることがなく、然も狭い空間でもアンテナの収容及び引出し操作が容易な携帯型電子機器を提供する。【解決手段】本発明に係る携帯型電子機器において、アンテナ４は、ホイップアンテナ部５とヘリカルアンテナ部６の間に回転連結機構７を具え、本体キャビネット10の端面には、ヘリカルアンテナ部６を収容するヘリカルアンテナ収容部16が凹設され、該ヘリカルアンテナ収容部16から本体キャビネット10の内部に向けて、ホイップアンテナ部５を収容するホイップアンテナ収容部15が形成されている。ホイップアンテナ部５がホイップアンテナ収容部15に収容された状態で、ヘリカルアンテナ部６は、回転連結機構７の回転動作により倒れてヘリカルアンテナ収容部16に収容される。【選択図】      図３
2004194092.tif 000002
【特許請求の範囲】
【請求項１】
筐体(１)にアンテナ(４)が取り付けられており、該アンテナ(４)は、ホイップアンテナ部(５)と、該ホイップアンテナ部(５)に先端に連結されたヘリカルアンテナ部(６)とから構成されている携帯型無線端末機において、前記アンテナ(４)は、ホイップアンテナ部(５)とヘリカルアンテナ部(６)の間に回転連結機構(７)を具え、前記筐体(１)の内部には、ホイップアンテナ部(５)を収容するためのホイップアンテナ収容部(15)が形成されると共に、前記筐体(１)の端面には、ヘリカルアンテナ部(６)を収容するためのヘリカルアンテナ収容部(16)が凹設され、ホイップアンテナ部(５)がホイップアンテナ収容部(15)に収容された状態で、ヘリカルアンテナ部(６)は、筐体(１)から突出した起立姿勢と、回転連結機構(７)の回転動作により倒れてヘリカルアンテナ収容部(16)に収容された収容姿勢との間で、回動可能であることを特徴とする携帯型無線端末機。
【請求項２】
前記アンテナ(４)は、ホイップアンテナ部(５)の全体若しくは大部分を筐体(１)の内部に収容した収容位置と、ホイップアンテナ部(５)の全体若しくは大部分を外部へ引き出した引出し位置との間で、往復移動が可能に筐体(１)に支持されており、前記収容位置にて、ヘリカルアンテナ部(６)を前記収容姿勢まで回動させることが可能である請求項１に記載の携帯型無線端末機。
【請求項３】
前記筐体(１)は、本体キャビネット(10)と、蓋体キャビネット(20)と、両キャビネット(10)(20)を互いに開閉可能に連結する一対のヒンジ機構(30)(30)とを具え、一方のキャビネット(10)の内部に前記ホイップアンテナ収容部(15)が形成されると共に、該一方のキャビネット(10)のヒンジ機構(30)側の端面に、両ヒンジ機構(30)(30)に挟まれた領域へ侵入させて、前記ヘリカルアンテナ収容部(16)が凹設されている請求項１又は請求項２に記載の携帯型無線端末機。
【請求項４】
前記一方のキャビネット(10)の内部には回路基板(17)が設置され、前記ホイップアンテナ収容部(15)は、両キャビネット(10)(20)を閉じたときに他方のキャビネット(20)と対向することとなる回路基板(17)の表面に沿って形成され、該回路基板(17)の表面に取り付けられたアンテナ給電端子(18)に、ホイップアンテナ部(５)が摺接している請求項３に記載の携帯型無線端末機。
【請求項５】
前記回転連結機構(７)は、ホイップアンテナ部(５)の先端に固定された支持片(75)と、ヘリカルアンテナ部(６)の基端に固定された駒片(72)と、支持片(75)と駒片(72)とを相対回転可能に連結する回転軸(71)と、支持片(75)と駒片(72)の係合部に形成されてホイップアンテナ部(５)に対してヘリカルアンテナ部(６)を前記起立姿勢と前記収容姿勢でそれぞれ軟係止することが可能な軟係止構造とから構成される請求項１乃至請求項４の何れかに記載の携帯型無線端末機。
【発明の詳細な説明】
【０００１】
【発明の属する技術分野】
本発明は、携帯電話機の如く伸縮可能なアンテナを具えた携帯型電子機器に関するものである。
【０００２】
【従来の技術】
従来、携帯電話機(例えば特許文献１参照)においては、図１１に示す如く、扁平な筐体(８)の端部にアンテナ(40)が取り付けられており、筐体(８)の表面には、アンテナ(40)が突出している一方の端部の近傍位置に受話部(82)が配備され、該受話部(82)の下方にディスプレイ(81)が配備されている。又、筐体(８)の表面には、受話部(82)と反対側の端部に送話部(84)が配備されると共に、該送話部(84)の上方には複数の操作キー(83)が配備されている。
アンテナ(40)は、筐体(８)に収容されたホイップアンテナ部(50)と、該ホイップアンテナ部(50)の先端に連結されて筐体(８)から突出するヘリカルアンテナ部(60)とから構成されている。
【０００３】
筐体(８)には、アンテナ(40)が貫通する貫通孔(19)が形成されており、該貫通孔(19)から筐体(８)の内部に向けて、アンテナ(40)のホイップアンテナ部(50)を収容すべきホイップアンテナ収容部(15)が形成されている。
アンテナ(40)は、図１１の如くホイップアンテナ部(50)をホイップアンテナ収容部(15)の内部に収容した収容位置と、図１２の如くホイップアンテナ部(５)の大部分をホイップアンテナ収容部(15)から引き出した引出し位置との間で往復移動可能に、筐体(８)に取り付けられている。
【０００４】
一方、図１３に示す携帯電話機(特許文献２参照)においては、扁平な筐体(９)の端部に、回転機構(95)を介して、アンテナ(94)が回動可能に取り付けられており、筐体(９)の側部に凹設したアンテナ収容部(96)にアンテナ(４)を収容することが可能となっている。
筐体(９)の表面には、複数の操作キー(92)が配備され、該操作キー(92)の上方には、受話部(91)が配備されている。又、アンテナ(94)には送話部(93)が内蔵されている。
【０００５】
アンテナ(94)は、筐体(９)のアンテナ収容部(96)に収容された収容位置と、アンテナ収容部(96)から引き出された引出し位置との間で往復移動が可能である。アンテナ(94)は、待ち受け時には、筐体(９)のアンテナ収容部(96)に収容されており、着信時などの使用時には、使用者が受話部(91)を耳に当てたときに送話部(93)が使用者の口元に近づくまで、アンテナ収容部(96)から引き出される。
【０００６】
【特許文献１】
特開２００１−１２７５１３号公報
【特許文献２】
実開平５−９３１３９号公報
【０００７】
【発明が解決しようとする課題】
しかしながら、図１１及び図１２に示す携帯電話機においては、待ち受け時に、アンテナ(40)のホイップアンテナ部(50)を筐体(８)のホイップアンテナ収容部(15)に収容したとしても、ヘリカルアンテナ部(60)が筐体(８)から突出しているため、携帯電話機を鞄や衣服のポケットから取り出す場合、筐体(８)から突出したアンテナ(40)がそれらに引っ掛かり、携帯電話機を取り出すことが困難となる問題があった。
【０００８】
一方、図１３に示す携帯電話機においては、筐体(９)のアンテナ収容部(96)に収納されているアンテナ(94)を図示の如く引き出す操作で、アンテナ(94)は、その長さを半径とする大きな円弧を描いて回転することになるため、例えば混み合った電車の中などの空間では、アンテナ(94)の収納及び引出し操作が困難となる問題があった。
【０００９】
そこで本発明の目的は、鞄や衣類のポケット等からの取出し時にアンテナがそれらに引っ掛かることがなく、然も狭い空間でもアンテナの収容及び引出し操作が容易な携帯型無線端末機を提供することである。
【００１０】
【課題を解決する為の手段】
本発明に係る携帯型無線端末機においては、筐体(１)にアンテナ(４)が取り付けられており、該アンテナ(４)は、ホイップアンテナ部(５)と、該ホイップアンテナ部(５)に先端に連結されたヘリカルアンテナ部(６)とから構成されている。アンテナ(４)は、ホイップアンテナ部(５)とヘリカルアンテナ部(６)の間に回転連結機構(７)を具え、筐体(１)の内部には、ホイップアンテナ部(５)を収容するためのホイップアンテナ収容部(15)が形成されると共に、筐体(１)の端面には、ヘリカルアンテナ部(６)を収容するためのヘリカルアンテナ収容部(16)が凹設されている。
ホイップアンテナ部(５)がホイップアンテナ収容部(15)に収容された状態で、ヘリカルアンテナ部(６)は、筐体(１)から突出した起立姿勢と、回転連結機構(７)の回転動作により倒れてヘリカルアンテナ収容部(16)に収容された収容姿勢との間で、回動可能である。
【００１１】
具体的構成において、アンテナ(４)は、ホイップアンテナ部(５)の全体若しくは大部分を筐体(１)の内部に収容した収容位置と、ホイップアンテナ部(５)の全体若しくは大部分を外部へ引き出した引出し位置との間で、往復移動が可能に筐体(１)に支持されており、収容位置にて、ヘリカルアンテナ部(６)を収容姿勢まで回動させることが可能である。
【００１２】
上記本発明の携帯型無線端末機を鞄や衣類のポケットに入れて携帯するときには、先ずアンテナ(４)を筐体(１)側へ押し込んで、ホイップアンテナ部(５)を筐体(１)の内部に形成されたホイップアンテナ収容部(15)に収容する。次に筐体(１)から突出するアンテナ(４)のヘリカルアンテナ部(６)を側方から押圧する。
これによって回転連結機構(７)が回転動作を行ない、ヘリカルアンテナ部(６)は、起立姿勢から収容姿勢に倒れて、筐体(１)の端部に凹設されたヘリカルアンテナ収容部(16)に収容される。
上記アンテナの収容操作において、アンテナ(４)のホイップアンテナ部(５)を筐体(１)の内部に収容する過程でスペースは不要である。又、ヘリカルアンテナ部(６)を倒して収容する過程では、ヘリカルアンテナ部(６)の長さはアンテナ全長の一部に過ぎないため、該ヘリカルアンテナ部(６)が描く円弧は小さく、大きなスペースは不要である。
この結果、アンテナ(４)は、その全体が筐体(１)の内部に収容されることとなる。従って、携帯型無線端末機を鞄や衣類のポケットから取り出すとき、アンテナ(４)がそれらに引っ掛かることはない。
【００１３】
本発明に係る携帯型無線端末機を鞄や衣類のポケットから取り出した後、アンテナ(４)を最大の受信感度に設定するには、先ず、アンテナ(４)のヘリカルアンテナ部(６)を収容姿勢から起立姿勢まで起こした後、アンテナ(４)を、筐体(１)から離間する方向に引っ張る。これによって、ホイップアンテナ部(５)がホイップアンテナ収容部(15)から引き出され、筐体(１)から大きく突出することになる。
上記のアンテナ引出し操作においても、ヘリカルアンテナ部(６)を起こす過程で、ヘリカルアンテナ部(６)が描く円弧は小さく、大きなスペースは不要である。又、アンテナ(４)を筐体(１)から引き出す過程でも必要なスペースは最小限で済む。
【００１４】
又、具体的構成において、筐体(１)は、本体キャビネット(10)と、蓋体キャビネット(20)と、両キャビネット(10)(20)を互いに開閉可能に連結する一対のヒンジ機構(30)(30)とを具え、一方のキャビネット(10)の内部にホイップアンテナ収容部(15)が形成されると共に、該一方のキャビネット(10)のヒンジ機構(30)側の端面に、両ヒンジ機構(30)(30)に挟まれた領域へ侵入させて、ヘリカルアンテナ収容部(16)が凹設されている。
【００１５】
該具体的構成においては、前記一方のキャビネット(10)の両ヒンジ機構(30)(30)に挟まれた領域がデッドスペースとなり、該デッドスペースを利用してホイップアンテナ収容部(15)が形成されているので、筐体(１)の小型化が図られる。
【００１６】
又、具体的構成において、一方のキャビネット(10)の内部には回路基板(17)が設置され、ホイップアンテナ収容部(15)は、両キャビネット(10)(20)を閉じたときに他方のキャビネット(20)と対向することとなる回路基板(17)の表面に沿って形成され、該回路基板(17)の表面に取り付けられたアンテナ給電端子(18)に、ホイップアンテナ部(５)が摺接している。
【００１７】
上述の如くヘリカルアンテナ収容部(16)を一方のキャビネット(10)の両ヒンジ機構(30)(30)に挟まれた領域へ侵入させて凹接する場合、該キャビネット(10)内のホイップアンテナ収容部(15)の位置が、両キャビネット(10)(20)を閉じたときに他方のキャビネット(20)と対向することとなるキャビネット前面壁へ接近して、同じキャビネット(10)内に設置されている回路基板(17)と干渉する問題が生じるが、ホイップアンテナ収容部(15)と回路基板(17)は互いに僅かな間隔をおいて対向することになり、回路基板(17)の表面に取り付けられたアンテナ給電端子(18)によってホイップアンテナ部(５)に対する給電が行なわれる。
【００１８】
更に具体的な構成において、回転連結機構(７)は、ホイップアンテナ部(５)の先端に固定された支持片(75)と、ヘリカルアンテナ部(６)の基端に固定された駒片(72)と、支持片(75)と駒片(72)とを相対回転可能に連結する回転軸(71)と、支持片(75)と駒片(72)の係合部に形成されてホイップアンテナ部(５)に対してヘリカルアンテナ部(６)を起立姿勢と収容姿勢でそれぞれ軟係止することが可能な軟係止構造とから構成される。
【００１９】
該具体的構成においては、アンテナ(４)のヘリカルアンテナ部(６)を起立姿勢まで起こすことにより、ヘリカルアンテナ部(６)は軟係止機構によってその姿勢で軟係止され、大きな力が作用しない限りその姿勢が維持される。又、ヘリカルアンテナ部(６)を収容姿勢まで倒すことにより、ヘリカルアンテナ部(６)は軟係止機構によってその姿勢で軟係止され、大きな力が作用しない限りその姿勢は維持される。従って、ヘリカルアンテナ部(６)が使用者の意思に反して自由に回動することはない。
【００２０】
【発明の効果】
本発明に係る携帯型無線端末機によれば、鞄や衣類のポケット等からの取出し時にアンテナがそれらに引っ掛かることがなく、然も狭い空間でもアンテナの収容及び引出し操作が容易である。
【００２１】
【発明の実施の形態】
以下、本発明を折り畳み式携帯電話機に実施した形態につき、図面に沿って具体的に説明する。
図１に示す如く、本発明に係る折り畳み式携帯電話機において、筐体(１)は、本体キャビネット(10)に左右一対のヒンジ機構(30)(30)を介して蓋体キャビネット(20)を開閉可能に連結して構成され、本体キャビネット(10)は、前面キャビネット半体(13)と背面キャビネット半体(14)を互いに接合して構成されており、蓋体キャビネット(20)も同様に前面キャビネット半体(23)と背面キャビネット半体(24)を互いに接合して構成されている。
【００２２】
本体キャビネット(10)の上端部には、アンテナ(４)が伸縮可能に取り付けられている。該アンテナ(４)は、ホイップアンテナ部(５)の先端に回転連結機構(７)を介してヘリカルアンテナ部(６)を連結して構成されている。
【００２３】
アンテナ(４)のヘリカルアンテナ部(６)は、図６の如くヘリカルコイル(61)を具え、該ヘリカルコイル(61)はアンテナカバー(62)により覆われている。
一方、ホイップアンテナ部(５)は、細長いモノポールアンテナ軸(51)を具えており、該モノポールアンテナ軸(51)の基端部には金属製のガイド部(54)が取り付けられると共に、該モノポールアンテナ軸(51)の先端部には金属製の端子部(56)が取り付けられている。
尚、該アンテナ(４)において、ヘリカルアンテナ部(６)はホイップアンテナ部(５)よりも短く形成されている。
【００２４】
図１に示す如く、本体キャビネット(10)の一対のヒンジ機構(30)(30)側の端面には、両ヒンジ機構(30)(30)に挟まれた領域へ侵入させて、アンテナ(４)のヘリカルアンテナ部(６)を収容するためのヘリカルアンテナ収容部(16)が凹設されている。該ヘリカルアンテナ収容部(16)の底面には貫通孔(19)が開設され、該貫通孔(19)から本体キャビネット(10)の内部に向けて、アンテナ(４)のホイップアンテナ部(５)を収容するためのホイップアンテナ収容部(15)が形成されている。該ホイップアンテナ収容部(15)には、アンテナ(４)の前記ガイド部(54)が摺動可能に嵌まっており、これによってアンテナ(４)の往復移動が案内される。
【００２５】
アンテナ(４)は、前記貫通孔(19)を貫通して本体キャビネット(10)に支持されており、ホイップアンテナ部(５)をホイップアンテナ収容部(15)に収容した収容位置と、ホイップアンテナ部(５)の大部分をホイップアンテナ収容部(15)から外部へ引き出した引出し位置との間で、往復移動が可能となっている。
【００２６】
アンテナ(４)のホイップアンテナ部(５)がホイップアンテナ収容部(15)に収容された状態で、ヘリカルアンテナ部(６)は、図２の如く本体キャビネット(10)から突出した起立姿勢と、図３の如く回転連結機構(７)の回転動作により倒れてヘリカルアンテナ収容部(16)に収容された収容姿勢との間で回動可能である。
尚、回転連結機構(７)は、図６に示す如く、ヘリカルアンテナ部(６)の回動に伴って伸縮する伸縮カバー(78)により覆われている。
【００２７】
回転連結機構(７)は、図７に示す如く、ヘリカルアンテナ部(６)の基端に取り付けられた角柱状の駒片(72)と、ホイップアンテナ部(５)の先端に取り付けられて駒片(72)を両側から狭持する一対の支持片(75)(75)と、該支持片(75)(75)と駒片(72)とを互いに相対回転可能に連結する回転軸(71)とから構成されている。
支持片(75)は、先端面が前記回転軸(71)を中心とする円弧面に形成され、該円弧面には、９０度の位相差で２箇所に凹部(74ａ)(74ｂ)が形成されている。一方、駒片(72)には、支持片の凹部(74ａ)(74ｂ)と係脱可能な係合ピン(73)が突設されている。図７に示すヘリカルアンテナ部(６)の前記起立姿勢で、駒片(72)の係合ピン(73)が支持片(75)の第１凹部(74ａ)に係合して起立姿勢が保持され、図８に示すヘリカルアンテナ部(６)の収容姿勢で、駒片(72)の係合ピン(73)が支持片(75)の第２凹部(74ｂ)に係合して、該収容姿勢が保持される。
斯くして、ホイップアンテナ部(５)に対してヘリカルアンテナ部(６)を起立姿勢と収容姿勢でそれぞれ軟係止する軟係止構造が構成されている。
尚、駒片(72)及び支持片(75)は共に金属製であるので、ヘリカルアンテナ部(６)の姿勢に拘わらず、ホイップアンテナ部(５)とヘリカルアンテナ部(６)の間の電気的な接続は維持される。
【００２８】
又、図９に示す如く、本体キャビネット(10)の内部には、回路基板(17)が設置されており、該回路基板(17)と、本体キャビネット(10)の前面キャビネット半体(13)との間に、前記ホイップアンテナ収容部(15)形成されている。
回路基板(17)のホイップアンテナ収容部側の表面には、アンテナ給電端子(18)が取り付けられており、アンテナ(４)を本体キャビネット(10)から引き出した状態で、アンテナ給電端子(18)にホイップアンテナ部(５)のガイド部(54)が摺接して、回路基板(17)からアンテナ(４)への給電が行なわれ、アンテナ(４)を本体キャビネット(10)に収納した状態で、アンテナ給電端子(18)にホイップアンテナ部(５)の端子部(56)が摺接して、回路基板(17)からアンテナ(４)への給電が行なわれる。
【００２９】
上記本発明に係る折り畳み式携帯電話機を鞄や衣類のポケットに入れて携帯するときには、図４に示す如く、先ず本体キャビネット(10)と蓋体キャビネット(20)を閉じた後、アンテナ(４)を本体キャビネット(10)側へ押し込んで、アンテナ(４)のホイップアンテナ部(５)を本体キャビネット(10)のホイップアンテナ収容部(15)に収容する。
次に、本体キャビネット(10)から突出するアンテナ(４)のヘリカルアンテナ部(６)を側方から押圧する。これによって回転連結機構(７)が回転動作を行ない、ヘリカルアンテナ部(６)は、図４に示す起立姿勢から図５に示す収容姿勢に倒れて、ヘリカルアンテナ収容部(16)に収容される。
【００３０】
上記アンテナ(４)の収容操作において、アンテナ(４)のホイップアンテナ部(５)を本体キャビネット(10)のホイップアンテナ収容部(15)に収容する過程でスペースは不要である。又、アンテナ(４)のヘリカルアンテナ部(６)を倒して本体キャビネット(10)のヘリカルアンテナ収容部(16)に収納する過程では、ヘリカルアンテナ部(６)の長さはアンテナ全長の一部に過ぎないため、ヘリカルアンテナ部(６)が描く円弧は小さく、大きなスペースは不要である。
アンテナ(４)の収容操作の結果、アンテナ(４)は、その全体が本体キャビネット(10)の内部に収容されることとなる。従って、折り畳み式携帯電話機を鞄や衣類のポケットから取り出すとき、アンテナ(４)がそれらに引っ掛かることはない。
【００３１】
尚、上記本発明の折り畳み式携帯電話機においては、アンテナ(４)を本体キャビネット(10)に収容した状態でも、アンテナ(４)のヘリカルアンテナ部(６)と回路基板(17)とは互いに電気的に接続されているので、正常な着信動作が可能である。
【００３２】
折り畳み式携帯電話機を鞄や衣類のポケットから取り出した後、アンテナ(４)を最大の受信感度に設定するには、先ず、アンテナ(４)のヘリカルアンテナ部(６)を図５に示す収容姿勢から図４に示す起立姿勢まで起こす。
次に、アンテナ(４)を本体キャビネット(10)から離間する方向に引っ張る。これによって、アンテナ(４)のホイップアンテナ部(５)が、図１の如くホイップアンテナ収容部(15)から引き出され、アンテナ(４)が本体キャビネット(10)から大きく突出することになる。
上記のアンテナ引出し操作においても、アンテナ(４)のヘリカルアンテナ部(６)を収容姿勢から起立姿勢に起こす過程で、ヘリカルアンテナ部(６)が描く円弧は小さく、大きなスペースは不要である。又、アンテナ(４)を本体キャビネット(10)から引き出す過程でも必要なスペースは最小限で済む。
【００３３】
上述の如く、本発明に係る折り畳み式携帯電話機によれば、鞄や衣類のポケット等からの取り出し時にアンテナ(４)がそれらに引っ掛かることがなく、然も狭い空間でもアンテナ(４)の収容及び引出し操作が容易である。
又、ホイップアンテナ収容部(15)が本体キャビネット(10)の両ヒンジ機構(30)(30)に挟まれたデッドスペースを利用して形成されているので、筐体(１)の小型化が可能である。
【００３４】
又、アンテナ(４)の回転連結機構(７)に設けた軟係止機構により、ヘリカルアンテナ部(６)は収容姿勢と起立姿勢でそれぞれ軟係止され、大きな力が作用しない限りその姿勢が維持されるので、使用者の意思に反してヘリカルアンテナ部(６)が自由に回動することはない。
【００３５】
又、従来は回路基板(17)と背面キャビネット半体(14)の間に形成していたホイップアンテナ収容部(15)を、回路基板(17)と前面キャビネット半体(13)との間に移設することによって、ホイップアンテナ収容部(15)と回路基板(17)の干渉を回避すると共に、回路基板(17)の表面に取り付けられたアンテナ給電端子(18)によるホイップアンテナ部(５)への給電を実現している。
【００３６】
尚、本発明の各部構成は上記実施の形態に限らず、特許請求の範囲に記載の技術的範囲内で種々の変形が可能である。例えば図１０に示す如く、ストレート型の携帯電話機に本発明を実施することも可能であり、これによって上記実施例と同等の効果が得られる。
【図面の簡単な説明】
【図１】本発明に係る折り畳み式携帯電話機の斜視図である。
【図２】該折り畳み式携帯電話機においてアンテナのホイップアンテナ部を本体キャビネットに収容すると共にヘリカルアンテナ部を起立させた状態を示す斜視図である。
【図３】該折り畳み式携帯電話機においてアンテナのホイップアンテナ部とヘリカルアンテナ部を本体キャビネットに収容した状態を示す斜視図である。
【図４】該折り畳み式携帯電話機を折り畳んだ状態でアンテナのホイップアンテナ部を本体キャビネットに収容すると共にヘリカルアンテナ部を起立させた状態を示す斜視図である。
【図５】該折り畳み式携帯電話機を折り畳んだ状態でアンテナのホイップアンテナ部とヘリカルアンテナ部を本体キャビネットに収容した状態を示す斜視図である。
【図６】アンテナの一部破断正面図である。
【図７】ヘリカルアンテナ部を起立させた状態における回転連結機構の拡大正面図である。
【図８】ヘリカルアンテナ部を倒した状態における回転連結機構の拡大正面図である。
【図９】本体キャビネットと蓋体キャビネットを折り畳んだ状態においてアンテナのホイップアンテナ部と回路基板の位置関係を示す側面図である。
【図１０】本発明をストレート型の携帯電話機に実施した例を示す正面図である。
【図１１】従来の携帯電話機においてアンテナを本体キャビネットに収納した状態を示す平面図である。
【図１２】該携帯電話機においてアンテナを本体キャビネットから引き出した状態を示す正面図である。
【図１３】従来の他の携帯電話機においてアンテナを本体キャビネットから引き出した状態を示す斜視図である。
【符号の説明】
(１)  筐体
(10)  本体キャビネット
(15)  ホイップアンテナ収容部
(16)  ヘリカルアンテナ収容部
(20)  蓋体キャビネット
(30)  ヒンジ機構
(４)  アンテナ
(５)  ホイップアンテナ部
(６)  ヘリカルアンテナ部
(７)  回転連結機構
【図１】
2004194092.tif 000003
【図２】
2004194092.tif 000004
【図３】
2004194092.tif 000005
【図４】
2004194092.tif 000006
【図５】
2004194092.tif 000007
【図６】
2004194092.tif 000008
【図７】
2004194092.tif 000009
【図８】
2004194092.tif 000010
【図９】
2004194092.tif 000011
【図１０】
2004194092.tif 000012
【図１１】
2004194092.tif 000013
【図１２】
2004194092.tif 000014
【図１３】
2004194092.tif 000015